(57)【要約】【課題】閉動作が容易かつ確実にできて、部品をなくすおそれがなく、容易に内容物の取り出しができる、包装容器を提供する。【解決手段】包装容器は外容器と内容器とを備える。外容器は、底部と外筒部とを有し、内容器は、蓋部と、外筒部に挿入され側面に穴を有する内筒部とを有する。外筒部の内壁には、第１の外筒部リブと、第２の外筒部リブとが形成され、内筒部の外壁には、凸部と、内筒部リブとが形成される。内筒部リブが、第２の外筒部リブより底部側において外筒部の内壁に接触した状態で、内容器が外容器に対してスライド可能であり、内筒部が底部の方向にスライドし、凸部が第１の外筒部リブを底部方向に乗り越えたとき、ロックされた全閉状態となり、内筒部が底部の反対方向にスライドし、内筒部リブが第２の外筒部リブに突き当たったとき、全開状態となる。【選択図】図２
2018020829.tif 000002
【特許請求の範囲】
【請求項１】
外容器と内容器とを備える包装容器であって、
前記外容器は、底部と筒状の外筒部とを有し、
前記内容器は、蓋部と、前記外筒部に挿入され、側面に１つ以上の穴を有する筒状の内筒部とを有し、
前記外筒部の内壁には、周方向に延伸する第１の外筒部リブと、前記第１の外筒部リブより前記底部側において周方向に延伸する第２の外筒部リブとが形成され、
前記内筒部の外壁には、周方向に少なくとも部分的に設けられた凸部と、前記凸部より前記蓋部から遠い側の端部において周方向に延伸する内筒部リブとが形成され、
前記内筒部リブが、前記第２の外筒部リブより前記底部側において前記外筒部の内壁に接触した状態で、前記内容器が前記外容器に対して前記包装容器の中心軸に平行な方向にスライド可能であり、
前記内筒部が前記底部の方向にスライドし、前記凸部が前記第１の外筒部リブを前記底部方向に乗り越えたとき、ロックされた全閉状態となり、
前記内筒部が前記底部の反対方向にスライドし、前記内筒部リブが前記第２の外筒部リブに突き当たったとき、全開状態となる、包装容器。
【請求項２】
前記内筒部リブは、前記外筒部の内壁に面接触し、面接触する部分の前記中心軸に沿った長さが、３ｍｍ以上である、請求項１に記載の包装容器。
【請求項３】
全開状態において、前記内筒部のうち前記外筒部に挿入されている部分の、前記中心軸に沿った長さは、前記中心軸に沿った前記外筒部の長さの３分の１以上である、請求項１または２に記載の包装容器。
【請求項４】
前記外筒部の、前記第１の外筒部リブにおける内径は、前記第２の外筒部リブにおける内径より小さい、請求項１〜３のいずれかに記載の包装容器。
【請求項５】
前記内筒部の、前記穴が設けられている範囲の前記中心軸に関して対称の範囲には、前記穴が設けられていない、請求項１〜４のいずれかに記載の包装容器。
【請求項６】
前記全開状態における前記底部から前記内筒部の下端までの前記中心軸に沿った距離が、前記全閉状態における底部から前記穴の上端までの前記中心軸に沿った距離より小さい、請求項１〜５のいずれかに記載の包装容器。
【発明の詳細な説明】
【技術分野】
【０００１】
本発明は、包装容器に関する。
【背景技術】
【０００２】
血液等の分析に用いるテストピース（検出センサチップ）を収容する包装容器が提案されている。図９に従来の一例に係る包装容器９００の断面図を示す。包装容器９００は、筒状の容器本体９１０と蓋９２０とを含む。閉蓋時には、蓋９２０のインナーリング９２９が容器本体９１０の側壁に挿入されて側壁内周に接触して、容器本体９１０を密封する。開蓋時には、蓋９２０は、容器本体９１０から取り外される。また、蓋９２０の内部または容器本体９１０の底部に、包装容器９００内を乾燥させるための乾燥剤（不図示）が配置される。
【先行技術文献】
【特許文献】
【０００３】
【特許文献１】特開２００２−２７４５７６号公報
【発明の概要】
【発明が解決しようとする課題】
【０００４】
従来の包装容器では、開蓋時に蓋が完全に分離するため、内容物の取り出しの際、分離した蓋を置く手間がかかった。また、分離した蓋をなくしてしまうおそれがあった。さらに、容器本体を傾けると内容物が意図せずに全部出てしまうおそれがあった。また、蓋が外れやすかったり、閉蓋状態であっても密封された状態まで蓋が容器本体に十分押し込まれていなかったりするおそれがあった。
【０００５】
本発明は、閉動作が容易かつ確実にできて、部品をなくすおそれがなく、容易に内容物の取り出しができる、包装容器を提供することを目的とする。
【課題を解決するための手段】
【０００６】
本発明は、外容器と内容器とを備える包装容器である。外容器は、底部と筒状の外筒部とを有し、内容器は、蓋部と、外筒部に挿入され、側面に１つ以上の穴を有する筒状の内筒部とを有し、外筒部の内壁には、周方向に延伸する第１の外筒部リブと、第１の外筒部リブより底部側において周方向に延伸する第２の外筒部リブとが形成され、内筒部の外壁には、周方向に少なくとも部分的に設けられた凸部と、凸部より蓋部から遠い側の端部において周方向に延伸する内筒部リブとが形成され、内筒部リブが、第２の外筒部リブより底部側において外筒部の内壁に接触した状態で、内容器が外容器に対して包装容器の中心軸に平行な方向にスライド可能であり、内筒部が底部の方向にスライドし、凸部が第１の外筒部リブを底部方向に乗り越えたとき、ロックされた全閉状態となり、内筒部が底部の反対方向にスライドし、内筒部リブが第２の外筒部リブに突き当たったとき、全開状態となる。
【発明の効果】
【０００７】
本発明によれば、閉動作が容易かつ確実にできて、部品をなくすおそれがなく、容易に内容物の取り出しができる、包装容器を提供することができる。
【図面の簡単な説明】
【０００８】
【図１】本発明の一実施形態に係る包装容器の上面図および側面図
【図２】本発明の一実施形態に係る包装容器の側面図
【図３】本発明の一実施形態に係る包装容器の断面図
【図４】本発明の一実施形態に係る包装容器の断面図
【図５】本発明の一実施形態に係る包装容器の拡大部分断面図
【図６】本発明の一実施形態に係る包装容器の拡大部分断面図
【図７】本発明の一実施形態に係る包装容器の断面図
【図８】本発明の一実施形態に係る包装容器の断面図
【図９】従来の包装容器の断面図
【発明を実施するための形態】
【０００９】
（実施形態）
図１は、本発明の一実施形態に係る、全閉状態の包装容器１００の側面図および上面図である。図２は、全開状態の包装容器１００の側面図である。また、図３、図４はそれぞれ、全閉状態および全開状態の包装容器１００の断面図である。
【００１０】
包装容器１００は外容器１１０と内容器１２０とを備える。外容器１１０は、底部１１１と筒状の外筒部１１２とを有する。内容器１２０は、蓋部１２１と、筒状の内筒部１２２とを有する。内筒部１２２は、側面に穴１２５を有しており、外筒部１１２に挿入される。包装容器１００の材質として、例えば、ポリプロピレン樹脂やポリエチレン樹脂等のオレフィン系樹脂を用いることができる。
【００１１】
蓋部１２１の内側には、乾燥剤ケース１５０が嵌め込まれている。乾燥剤ケース１５０には、乾燥剤（不図示）が入っており、透湿性、防塵性を有するシートで開口がおおわれている。シートは、例えば、ポリエチレン、ポリプロピレン等の樹脂からなる不織布、微多孔性フィルム、及び微多孔性シートを用いることができる。乾燥剤ケース１５０はシート側が蓋部１２１の天面側となるように蓋部１２１に取り付けられる。乾燥剤ケース１５０は溝が形成されて蓋部１２１内壁との間に部分的に隙間が設けられており、包装容器１００の内部空間と乾燥剤とが通気するようになっている。乾燥剤は、特に制限されないが、例えば、酸化カルシウム、塩化カルシウム、酸化アルミニウム、鉄粉等の化学系乾燥剤や、酸化アルミニウム、ゼオライト、モレキュラーシーブ、シリカゲル等の物理系乾燥剤を用いることができる。乾燥剤ケース１５０は蓋部１２１に取り付けられる代わりに外容器１１０の底部１１１側に取り付けられてもよい。
【００１２】
外筒部１１２の内壁には、周方向に延伸する第１の外筒部リブ１１３と、これより底部１１１側において周方向に延伸する第２の外筒部リブ１１４とが形成されている。また、内筒部１２２の外壁には、周方向に少なくとも部分的に設けられた凸部１２３と、これより蓋部１２１から遠い側の端部において周方向に延伸する内筒部リブ１２４とが形成されている。内筒部リブ１２４は、第２の外筒部リブ１１４より底部１１１側にある。内筒部リブ１２４が、外筒部１１２の内壁に接触し、かつ、第２の外筒部リブ１１４が内筒部１２２の外壁に接触した状態で、内容器１２０が外容器１１０に対して包装容器１００の中心軸に平行な方向にスライド可能となっている。
【００１３】
図２、図４に示す包装容器１００の開状態において、蓋部１２１をつまんで押し込み、内筒部１２２を底部１１１の方向にスライドさせることで、徐々に閉状態へと移行する。スライドが進行すると、凸部１２３が第１の外筒部リブ１１３を底部１１１の方向に乗り越えるとともに、蓋部１２１が外筒部１１２の開口に当接して、開口を封止する。このとき、内筒部１２２の蓋部１２１寄りの部分が、外筒部１１２の開口近傍の内壁に密着し、包装容器１００は密封され、図１、図３に示す閉状態となる。この状態の凸部１２３および第１の外筒部リブ１１３近傍の包装容器１００の拡大断面図を図５に示す。凸部１２３が第１の外筒部リブ１１３を底部１１１の方向に乗り越えることよって、閉状態までスライドしたことが感触で判り、また、閉状態がロックされた状態となる。
【００１４】
包装容器１００の閉状態において、蓋部１２１を引っ張ると、凸部１２３が第１の外筒部リブ１１３を蓋部１２１の方向に乗り越える。これによって、閉ロックが解除され、また閉ロックの解除が感触で判る。引っ張り続けると、スライドが進行し、内筒部１２２の穴１２５が徐々に露出し、内筒部リブ１２４が第２の外筒部リブ１１４に突き当たる。この状態において、包装容器１００の全開状態となる。この状態の内筒部リブ１２４および第２の外筒部リブ１１４近傍の包装容器１００の拡大断面図を図６に示す。
【００１５】
このように、包装容器１００においては、開動作によっても分離する部品が存在しないため、内容物の取り出しの際、分離した部品を置く手間がかからない。また、分離した部品をなくしてしまうことがない。また、内筒部１２２の穴１２５によって取り出し口の大きさが制限されるため、内容物が多く出すぎることを防ぎ、必要な量だけ取り出しやすくすることができる。また、閉ロックの機構により、確実な閉操作とその後の閉状態の維持とが可能となる。
【００１６】
内筒部リブ１２４は、外筒部１１２の内壁に面接触し、面接触する部分は、包装容器１００の中心軸に沿って３ｍｍ以上であることが好ましい。このように内筒部リブ１２４が十分な範囲にわたって外筒部１１２の内壁に接触することにより、スライド方向がぶれにくくなり、安定した開閉操作が可能となる。また、内筒部リブ１２４が、第２の外筒部リブ１１４を乗り越えにくくなり、内筒部１２２を外筒部１１２から外れにくくすることができる。なお、開動作を行いやすくするため、蓋部１２１に指を引っ掛けるための鍔を設けてもよい。
【００１７】
また、全開状態において、内筒部１２２のうち外筒部１１２に挿入されている部分の、中心軸に沿った長さ（図４のＬ２）は、中心軸に沿った外筒部１１２の長さ（図４のＬ１）の３分の１以上であることが好ましい。全開状態であっても、内筒部１２２がこの長さだけ外筒部１１２に挿入されていると、閉操作のために蓋部１２１を押し込んだとき、押し込む方向がぶれても、外筒部１１２が内筒部１２２の挿入されている部分に当接しガイドとなって、スライド方向のぶれを小さく抑え、安定した閉操作が可能となる。
【００１８】
外筒部１１２は、第１の外筒部リブ１１３における内径（図４のＤ１）が、第２の外筒部リブ１１４における内径（図４のＤ２）より小さいことが好ましい。これにより、第１の外筒部リブ１１３が、第２の外筒部リブ１１４より内筒部１２２に当たりにくくなりスライド時における内筒部１２２への干渉を小さくできる。
【００１９】
内容物を取り出す際は、内筒部１２２の穴１２５が上方を向く状態で包装容器１００を傾け、穴１２５から内容物の一端を外に出してつまみ、必要量を取り出す。そのため、内筒部１２２は、穴１２５が設けられている範囲の反対側（中心軸に関して対称の範囲）には、穴が設けられていないことが好ましい。この範囲に穴があると、取り出しの際、下方側にも穴が存在して、内容物がこぼれ落ちるおそれがある。穴の個数は限定されない。
【００２０】
内容物は、一例として、血糖値センサ等を有する細長いスティック状の複数の血液検査チップである。図７および図８にこのような内容物５００を収容した包装容器１００の全閉状態および全開状態の断面図をそれぞれ示す。開状態から閉状態に移行する際に、内容物５００の上端が内筒部１２２の下端や穴１２５の上端に突き当たらないことが好ましい。突き当たると内筒部１２２の閉方向へのスライドが阻害されたり、内容物５００が破損したりするおそれがある。内容物５００の長辺の長さをＢとし、内筒部１２２の内径（直径）をＤとすると、包装容器１００に収容されている内容物５００の上端の、底部１１１からの高さＨは、おおむねＨ＝（Ｂ２−Ｄ２）１／２となる。全開状態における底部１１１の縁から、内筒部１２２の下端までの軸方向に沿った距離をＨ１とし、全閉状態における底部１１１の縁から、穴１２５の上端までの軸方向の距離をＨ２とすると、Ｈ１＜Ｈ＜Ｈ２であることが好ましい。この範囲であれば、上述の突き当りが起こりにくく、スライド阻害や内容物破損のおそれを抑制することができる。また逆に、Ｈ１＜Ｈ２であれば、長辺の長さＢが（Ｈ１２＋Ｄ２）１／２＜Ｂ＜（Ｈ２２＋Ｄ２）１／２の範囲にあるスティック状の内容物を、好適に収容できる。
【００２１】
また、包装容器の全開状態における穴１２５の露出部分の軸方向に沿った長さをＡとすると、例えばＡ≦Ｂ／２とすることが好ましい。Ａの大きさを制限することにより、内容物５００を取り出す際、内容物５００は蓋部１２１に近い側の端部のほうが、他端部より先に穴１２５から出るようにすることができる。これにより、例えば、内容物５００の指で触れることが好ましくないセンサを有する側の端部を、底部１１１側に向けて収容しておけば、取り出す際には、センサのない側の端部が、先に出て指でつままれるため、センサが触れられないようにすることができる。
【産業上の利用可能性】
【００２２】
本発明は、包装容器、とくにスティック形状の内容物を収容する防湿容器等に有用である。
【符号の説明】
【００２３】
１００    包装容器
１１０    外容器
１１１    底部
１１２    外筒部
１１３    第１の外筒部リブ
１１４    第２の外筒部リブ
１２０    内容器
１２１    蓋部
１２２    内筒部
１２３    凸部
１２４    内筒部リブ
１２５    穴
１５０    乾燥剤ケース
５００    内容物
９００    包装容器
９１０    容器本体
９２０    蓋
９２９    インナーリング
【図１】
2018020829.tif 000003
【図２】
2018020829.tif 000004
【図３】
2018020829.tif 000005
【図４】
2018020829.tif 000006
【図５】
2018020829.tif 000007
【図６】
2018020829.tif 000008
【図７】
2018020829.tif 000009
【図８】
2018020829.tif 000010
【図９】
2018020829.tif 000011